(57)【要約】【課題】誤った丁合物の作成防止に貢献することができるプログラムを提供すること【解決手段】実施形態に係るプログラムは、広告識別情報、配送拠点識別情報、及び配達日情報を含む複数の電子広告情報を受信する手順と、前記複数の電子広告情報のうち、第１の配送拠点識別情報、及び第１の配達日情報を含む１以上の電子広告情報を選択し、前記選択された１以上の電子広告情報に基づき広告丁合処理情報を生成する手順と、前記広告丁合処理情報を出力する手順と、をコンピュータに実行させるプログラムであって、前記広告丁合処理情報は、前記選択された１以上の電子広告情報に含まれる広告識別情報、前記第１の配送拠点識別情報、及び前記第１の配達日情報を含む。【選択図】      図１
2018138484.tif 000002
【特許請求の範囲】
【請求項１】
広告識別情報、配送拠点識別情報、及び配達日情報を含む複数の電子広告情報を受信する手順と、
前記複数の電子広告情報のうち、第１の配送拠点識別情報、及び第１の配達日情報を含む１以上の電子広告情報を選択し、前記選択された１以上の電子広告情報に基づき広告丁合処理情報を生成する手順と、
前記広告丁合処理情報を出力する手順と、をコンピュータに実行させるプログラムであって、
前記広告丁合処理情報は、前記選択された１以上の電子広告情報に含まれる広告識別情報、前記第１の配送拠点識別情報、及び前記第１の配達日情報を含むプログラム。
【請求項２】
選択された第１及び第２の電子広告情報に基づき、前記広告丁合処理情報を生成する手順をコンピュータに実行させるプログラムであって、
前記第１の電子広告情報は、第１の広告の第１の広告識別情報、前記第１の配送拠点識別情報、及び前記第１の配達日情報を含み、
前記第２の電子広告情報は、第２の広告の第２の広告識別情報、前記第１の配送拠点識別情報、及び前記第１の配達日情報を含み、
前記広告丁合処理情報は、前記第１及び第２の広告識別情報、前記第１の配送拠点識別情報、及び前記第１の配達日情報を含む請求項１のプログラム。
【請求項３】
前記第１の電子広告情報は、前記第１の広告の第１の部数を含み、
前記第２の電子広告情報は、前記第２の広告の第２の部数を含み、
前記広告丁合処理情報は、前記第１及び第２の部数を含む請求項２のプログラム。
【請求項４】
前記広告丁合処理情報は、前記第１の広告の第１の配達区域情報と、前記第２の広告の第２の配達区域情報を含む請求項３のプログラム。
【請求項５】
前記第１の部数に応じた配達区域別の部数情報を生成し、前記第２の部数に応じた配達区域別の部数情報を生成する手順をコンピュータに実行させる請求項４のプログラム。
【請求項６】
配達区域別の部数履歴情報に基づき、前記第１の部数に応じた配達区域別の部数情報を生成し、前記第２の部数に応じた配達区域別の部数情報を生成する手順をコンピュータに実行させる請求項５のプログラム。
【請求項７】
前記第１の電子公告情報が、前記第１の広告を第１の広告以外の広告を束ねる帯として指定する帯指定情報を含む請求項２乃至６の何れか一つのプログラム。
【請求項８】
前記第２の電子公告情報が、前記第２の広告を先頭に丁合する先頭指定情報を含む請求項２乃至７の何れか一つのプログラム。
【請求項９】
第１及び第２の丁合物を含む配達物を作成する場合に、
各電子広告情報が、前記第１及び第２の丁合物のうちのどちらか一方の指定を含む請求項２乃至８の何れか一つのプログラム。
【請求項１０】
前記第１の配送拠点識別情報に登録された丁合機に対して前記広告丁合処理情報を送信する手順をコンピュータに実行させる請求項２乃至９の何れか一つのプログラム。
【請求項１１】
前記広告丁合処理情報をサーバへ出力する手順をコンピュータに実行させる請求項２乃至９の何れか一つのプログラム。
【請求項１２】
広告識別情報、配送拠点識別情報、及び配達日情報を含む複数の電子広告情報を受信する第１の受信部と、
前記複数の電子広告情報のうち、第１の配送拠点識別情報、及び第１の配達日情報を含む１以上の電子広告情報を選択し、前記選択された１以上の電子広告情報に基づき広告丁合処理情報を生成する処理部と、
前記広告丁合処理情報を出力する第１の出力部と、を備え、
前記広告丁合処理情報は、前記選択された１以上の電子広告情報に含まれる広告識別情報、前記第１の配送拠点識別情報、及び前記第１の配達日情報を含む配送管理装置。
【請求項１３】
前記第１の出力部は、前記広告丁合処理情報をサーバへ出力する請求項１２の配送管理装置。
【請求項１４】
請求項１２の配送管理装置及び丁合機を備える配送管理システムであって、
前記丁合機は、
前記広告丁合処理情報を受信する第２の受信部と、
前記広告丁合処理情報に基づき第１及び第２の広告を丁合する丁合部と、
を備える配送管理システム。
【請求項１５】
請求項１３の配送管理装置及び丁合機を備える配送管理システムであって、
前記丁合機は、
前記サーバから前記広告丁合処理情報を受信する第２の受信部と、
前記広告丁合処理情報に基づき第１及び第２の広告を丁合する丁合部と、
を備える配送管理システム。
【請求項１６】
第１の広告束に添付される第１の添付広告情報から読み取られた第１の読取り情報を受信する第３の受信部と、
前記広告丁合処理情報と前記第１の読取り情報との比較結果に基づき、前記第１の広告束の受け入れ可否を判定する判定部と、
を備える請求項１４又は１５の配送管理システム。
【請求項１７】
前記第３の受信部は、第２の広告束に添付される第２の添付広告情報から読み取られた第２の読取り情報を受信し、
前記判定部は、前記広告丁合処理情報と前記第１及び第２の読取り情報との比較結果に基づき、前記第１及び第２の広告束の受け入れ可否、及び広告束の過不足を判定する請求項１６の配送管理システム。
【請求項１８】
前記丁合部は、前記第１及び第２の広告束の受け入れの許可に基づき、前記第１の広告束の第１の広告と前記第２の広告束の第２の広告を丁合する請求項１７の配送管理システム。
【請求項１９】
前記丁合機は、前記第１の広告と前記第２の広告の丁合物に対応する丁合データを出力する第２の出力部を備え、
前記丁合データは、前記第１の配送拠点識別情報を含む請求項１８の配送管理システム。
【請求項２０】
配送管理システムは、情報読取り装置を備え、
前記情報読取り装置は、丁合物印刷ラベルから前記丁合データを読み取る読取部と、
前記丁合データに含まれる前記第１の配送拠点識別情報を表示する表示部と、
を備える請求項１９の配送管理システム。
【発明の詳細な説明】
【技術分野】
【０００１】
本発明の実施形態は、丁合物等の配送管理システムに関する。
【背景技術】
【０００２】
新聞等の各販売店には、予め指定された複数種類の広告束が、予め指定された部数だけ配送される。例えば、各販売店には丁合機が設置され、丁合機には配送された複数種類の広告束がセットされる。丁合機は、セットされた複数種類の広告束から１枚ずつ広告を取り出し、取り出した広告を丁合して丁合物を作る。これにより、各販売店において、指定された丁合物の準備が整う。
【０００３】
また、販売店の上流側に位置する折込会社に丁合機を設置し、折込会社に設置された丁合機が各販売店向けの丁合物を作成し、折込会社から各販売店へ丁合物を配送する仕組みも考えられている。
【先行技術文献】
【特許文献】
【０００４】
【特許文献１】特開２０１２−８６９７９号公報
【発明の概要】
【発明が解決しようとする課題】
【０００５】
ところが、販売店への広告束の誤配送があると、販売店において誤った種別又は誤った部数の丁合物が作成されてしまう。
【０００６】
また、折込会社の丁合機において各販売店用の丁合物を作成する場合でも、丁合機へ誤った種別又は誤った部数の広告束がセットされた場合には、各販売店用の誤った種別又は誤った部数の丁合物が作成されてしまう。
【０００７】
このような誤った丁合物の作成を防止する仕組みが要望されている。
【０００８】
本発明の目的は、誤った丁合物の作成防止に貢献することができるプログラム、配送管理装置、及び配送管理システムを提供することにある。
【課題を解決するための手段】
【０００９】
上記目的を達成するために、この発明の実施形態に係るプログラムは、広告識別情報、配送拠点識別情報、及び配達日情報を含む複数の電子広告情報を受信する手順と、前記複数の電子広告情報のうち、第１の配送拠点識別情報、及び第１の配達日情報を含む１以上の電子広告情報を選択し、前記選択された１以上の電子広告情報に基づき広告丁合処理情報を生成する手順と、前記広告丁合処理情報を出力する手順と、をコンピュータに実行させるプログラムであって、前記広告丁合処理情報は、前記選択された１以上の電子広告情報に含まれる広告識別情報、前記第１の配送拠点識別情報、及び前記第１の配達日情報を含む。
【発明の効果】
【００１０】
本発明によれば、誤った丁合物の作成防止に貢献することができるプログラム、配送管理装置、及び配送管理システムを提供できる。
【図面の簡単な説明】
【００１１】
【図１】実施形態に係る折込受託システムの一例を示す図である。
【図２】折込受託システムの概要を示す図である。
【図３】折込受託システムの概要を示す図である。
【図４】折込受託システムの概要を示す図である。
【図５】折込受託システムの概要を示す図である。
【図６】折込受託システムの概要を示す図である。
【図７】丁合機による折込指示データの表示例を示す図である。
【図８】丁合機による折込指示データの表示例を示す図である。
【図９】丁合機による折込指示データの表示例を示す図である。
【図１０】丁合機による折込指示データの表示例を示す図である。
【図１１】丁合機による折込指示データの表示例を示す図である。
【図１２】丁合機による折込指示データの表示例を示す図である。
【図１３】折込受託システムの概要を示す図である。
【図１４】丁合機による折込指示データの表示例を示す図である。
【図１５】丁合機による折込指示データの表示例を示す図である。
【図１６】丁合機による折込指示データの表示例を示す図である。
【図１７】納品広告宛紙（丁合済広告宛紙）の一例を示す図である。
【図１８】折込受託システムの概要を示す図である。
【図１９】タブレットの表示例及び納品広告宛紙（丁合済広告宛紙）の一例を示す図である。
【図２０】折込受託システムの概要を示す図である。
【図２１】折込受託システムの概要を示す図である。
【図２２】実施形態に係る丁合機の一例を示す斜視図である。
【図２３】実施形態に係る丁合機の一例を示す断面図である。
【図２４】実施形態に係る丁合機の一例を示す部分断面図である。
【図２５】実施形態に係る丁合機の一例を示すブロック図である。
【発明を実施するための形態】
【００１２】
以下、各実施形態について図面を参照して説明する。なお、本実施形態では、広告とチラシを同義で用いることにする。
【００１３】
図１は、実施形態に係る折込受託システムの一例を示す図である。図１に示すように、折込受託システムは、折込データ処理装置Ｓ１、折込指示データ作成装置Ｓ２、サーバＳ３、及び丁合機Ｓ４を備える。
【００１４】
折込データ処理装置Ｓ１は、制御部Ｓ１１、記憶部Ｓ１２、通信部Ｓ１３、入力部Ｓ１４、表示部Ｓ１５、及び印刷部Ｓ１６を備える。制御部Ｓ１１は、プロセッサ及びメモリを備える。例えば、折込データ処理装置Ｓ１は、プロセッサ及びメモリを備えるパーソナルコンピュータ等で実現することができる。
【００１５】
折込指示データ作成装置Ｓ２は、制御部Ｓ２１、記憶部Ｓ２２、通信部Ｓ２３、入力部Ｓ２４、及び表示部Ｓ２５を備える。制御部Ｓ２１は、プロセッサ及びメモリを備える。折込指示データ作成装置Ｓ２は、プロセッサ及びメモリを備えるパーソナルコンピュータ等で実現することができる。
【００１６】
クラウドサーバＳ３は、制御部Ｓ３１、記憶部Ｓ３２、及び通信部Ｓ３３を備える。制御部Ｓ３１は、プロセッサ及びメモリを備える。クラウドサーバＳ３は、プロセッサ及びメモリを備えるパーソナルコンピュータ等で実現することができる。
【００１７】
丁合機Ｓ４は、制御部Ｓ４１、記憶部Ｓ４２、通信部Ｓ４３、入力部Ｓ４４、表示部Ｓ４５、及び丁合機構Ｓ４６を備える。後に丁合機Ｓ４の構成例について詳しく説明する。
【００１８】
図２は、折込受託システムの概要（その１）を説明する図である。図２に示すように、折込データ提供装置Ｓ１は、通信部Ｓ１３により、折込データをエクスポートする（折込データ処理装置Ｓ１は、通信部Ｓ１３により、折込データを折込指示データ作成装置Ｓ２へインポートする）。例えば、折込データは、複数の電子広告情報を含み、各電子公告情報は、ＩＤ（広告識別情報）、店舗名（配送拠点情報）、折込日（配達日情報）、スポンサー名、枚数、チラシサイズ、金額、折込指示内容を含む。各電子広告情報は、広告識別情報により識別可能となる。折込指示内容は、一番上（先頭）にセットする広告であるか否かの情報（先頭指定情報）、及び親紙（帯）として希望されて広告であるか否かの情報等（帯指定情報）を含む。
【００１９】
また、折込データ提供装置Ｓ１は、印刷部Ｓ１６により、折込データに基づき折込広告宛紙を印刷する。例えば、折込データの第１の電子公告情報が、第１のＩＤ、店舗Ａ（第１の配送拠点識別情報）、折込日２０１７／３／１（第１の配達日情報）、第１のスポンサー名、１２００枚（部数）、１区〜４区（配達区域情報）、Ａ４サイズを含むと仮定する。例えば、印刷部Ｓ１６は、折込データの第１の電子公告情報に基づき、４枚の折込広告宛紙を印刷し、１枚目の折込広告宛紙は、バーコード等の情報を有し、バーコード等の情報は、第１のＩＤ、店舗Ａ、折込日２０１７／３／１、第１のスポンサー名、３００枚、１区〜４区、Ａ４サイズ、及び１／４（梱包）を示す情報を含む。また、２枚目の折込広告宛紙は、バーコード等の情報を有し、バーコード等の情報は、第１のＩＤ、店舗Ａ、折込日２０１７／３／１、第１のスポンサー名、３００枚、１区〜４区、Ａ４サイズ、及び２／４（梱包）を示す情報を含む。また、３枚目の折込広告宛紙は、バーコード等の情報を有し、バーコード等の情報は、第１のＩＤ、店舗Ａ、折込日２０１７／３／１、第１のスポンサー名、３００枚、１区〜４区、Ａ４サイズ、及び３／４（梱包）を示す情報を含む。また、４枚目の折込広告宛紙は、バーコード等の情報を有し、バーコード等の情報は、第１のＩＤ、店舗Ａ、折込日２０１７／３／１、第１のスポンサー名、３００枚、１区〜４区、Ａ４サイズ、及び４／４（梱包）を示す情報を含む。
【００２０】
担当者は、第１の電子公告情報に対応する１２００枚の広告を４００枚ずつ４梱包に分ける。各梱包には折込広告宛紙が付与される。これにより、折込指示データ作成装置Ｓ２から出力される折込指示データと現物（広告の梱包）とが完全に一致する。
【００２１】
また、折込指示データ作成装置Ｓ２は、折込データに含まれる複数の電子広告情報のうち、同一の店舗名及び同一の折込日を含む１以上の電子広告情報を選択し、選択された電子広告情報に基づき折込指示データ（広告丁合処理情報）を生成する。例えば、折込指示データ作成装置Ｓ２は、店舗Ａ及び折込日２０１７／３／１を含む１以上の電子広告情報を選択し、選択された電子広告情報に基づき折込指示データ（広告丁合処理情報）を生成する。
【００２２】
図３は、折込受託システムの概要（その２）を説明する図である。図３に示すように、折込指示データ作成装置Ｓ２は、メール等により、折込指示データを販売店のメール端末へ送信する。販売店のメール端末は、このメールを受信して折込指示データを表示する。販売店の担当は、メールの内容、つまり折込指示データの内容を確認することができる。販売店のメール端末は、確認の結果（修正の有無及び修正版の折込指示データ等）を折込指示データ作成装置Ｓ２へ送信する。
【００２３】
図４は、折込受託システムの概要（その３）を説明する図である。図４に示すように、折込指示データ作成装置Ｓ２は、通信部Ｓ２３により、丁合機Ｓ４へ折込指示データをインポートする。折込指示データ作成装置Ｓ２と丁合機Ｓ４とが通信して、折込指示データ作成装置Ｓ２から丁合機Ｓ４へ折込指示データをインポートしてもよいし、クラウドサーバＳ３を介して、折込指示データ作成装置Ｓ２から丁合機Ｓ４へ折込指示データをインポートしてもよい。また、記憶メディア等を利用して、折込指示データを記憶した記憶メディアを介して、丁合機Ｓ４へ折込指示データをインポートしてもよい。
【００２４】
丁合機Ｓ４は、折込指示データに基づき区域設定を行う。区域設定については後に詳しく説明する。
【００２５】
さらに、丁合機Ｓ４の表示部Ｓ４５は、折込指示データを表示する。入力部Ｓ４４は、店舗名と折込日の指定を受け付ける。例えば、入力部Ｓ４４が、店舗Ａ及び折込日２０１７／３／１の指定を受け付けると、制御部Ｓ４１は、折込指示データから、店舗Ａ及び折込日２０１７／３／１に該当する電子公告情報を抽出し、抽出された電子公告情報を丁合データとして設定する。
【００２６】
また、丁合機Ｓ４の入力部Ｓ４４は、バーコードリーダＲからの情報を入力（受信）する通信インターフェースを備える。バーコードリーダＲは、梱包に添付された折込広告宛紙のバーコードを読み取る。制御部Ｓ４１は、丁合データに含まれる電子公告情報とバーコード読取りデータとを比較し一致又は不一致を判定し、表示部Ｓ４５は、両者の一致に対応して、丁合受け入れ許可を通知し、さらに該当の広告束を丁合機Ｓ４へセットすることを促す。また、表示部Ｓ４５は、両者の不一致に対応して、丁合受け入れ不許可を通知し、さらに該当の広告束を丁合機Ｓ４へセットしないように注意を促す。制御部Ｓ４１は、丁合データに含まれる全ての電子広告情報について一致が確認されると、制御部Ｓ４１は丁合処理の開始を許可する。表示部Ｓ４５は、丁合データに含まれる一部の電子広告情報について一致が確認されていない場合には、さらなるバーコードの読取りと一致が確認された広告束のセットを要求する。つまり、制御部Ｓ４１は、広告束の受け入れ可否、及び広告束の過不足を判定する。
【００２７】
図５は、折込受託システムの概要（その４）を説明する図である。図５に示すように、丁合機Ｓ４において、丁合データに含まれる全ての電子広告情報について一致が確認さ、丁合処理の開始が許可されると、丁合機機構Ｓ４６により、広告の丁合処理が開始される。
【００２８】
丁合機Ｓ４は、丁合データ（配送拠点情報を含む）をクラウドサーバＳ３及びプリンタＳ５へ出力し、プリンタＳ５は、丁合データに基づき納品広告宛紙（丁合済広告宛紙）を印刷する。また、クラウドサーバＳ３は、丁合データを記憶部３２に記憶する。図１７は、納品広告宛紙（丁合済広告宛紙）の一例を示す図である。例えば、丁合データが、第１のＩＤ、店舗Ａ、折込日２０１７／３／１、６００部を含むと仮定する。例えば、プリンタＳ５は、丁合データに基づき、３枚の納品広告宛紙を印刷し、１枚目の納品広告宛紙は、バーコード等の情報を有し、バーコード等の情報は、第１のＩＤ、店舗Ａ、折込日２０１７／３／１、２００部、及び１／３（梱包）を示す情報を含む。また、２枚目の納品広告宛紙は、バーコード等の情報を有し、バーコード等の情報は、第１のＩＤ、店舗Ａ、折込日２０１７／３／１、２００部、及び２／３（梱包）を示す情報を含む。また、３枚目の納品広告宛紙は、バーコード等の情報を有し、バーコード等の情報は、第１のＩＤ、店舗Ａ、折込日２０１７／３／１、２００部、及び３／３（梱包）を示す情報を含む。
【００２９】
担当者は、丁合データに対応する６００部の丁合物を２００部ずつ３梱包に分ける。各梱包には納品広告宛紙が付与される。これにより、丁合データに対応する現物（丁合物の梱包）の準備が完了する。
【００３０】
また、丁合機Ｓ４は、丁合データをクラウドサーバＳ３へ送信する。クラウドサーバＳ３は、丁合データを受信し管理する。例えば、丁合物をトラックへ積み込む際に、タブレットＴと通信可能なバーコードリーダＲで丁合物に添付された納品広告宛紙のバーコードを読取り、読取りデータをクラウドサーバＳ３へ送信することにより、トラックへの丁合物の積み込み漏れを防止することができる。タブレットＴは、プロセッサ、メモリ、表示部、通信部等により構成される。例えば、クラウドサーバＳ３は、丁合データに基づき、店舗Ａ及び折込日２０１７／３／１の条件で必要とされる丁合物を認識することができる。タブレットＴからクラウドサーバＳ３に対して、店舗Ａ及び折込日２０１７／３／１の条件を指定した上で、タブレットＴ（バーコードリーダＲ）からクラウドサーバＳ３へ読取りデータを送信する。これにより、クラウドサーバＳ３は、丁合データ及び店舗Ａ及び折込日２０１７／３／１の条件に基づき、読取りデータに対応する丁合物が積み込むべき丁合物か否か判定することができる。さらに、クラウドサーバＳ３は、丁合データ、店舗Ａ及び折込日２０１７／３／１の条件、及び読取りデータに基づき、丁合物の積み込み漏れも判定することができる。クラウドサーバＳ３は、タブレットＴへ判定結果を送信する。
【００３１】
同様に、積み降ろしの際にも、タブレットＴ、バーコードリーダＲ、クラウドサーバＳ３の協働により、丁合物の積み降ろし間違え、又は積み降ろし漏れも判定することができる。
【００３２】
図７〜図１２は、丁合機Ｓ４の表示部Ｓ４５による折込指示データの表示例を示す図である。
【００３３】
図７に示すように、丁合機Ｓ４の表示部Ｓ４５は、エクスポートされた折込指示データを表示する。
【００３４】
ここで、「親紙」、「一番上」、「回戦」について補足する。複数枚の広告からなる丁合物は、指定された一枚の広告で束ねられた状態で丁合物となる。丁合物を束ねる帯となる広告を「親紙」と称する。また、親紙を除く丁合物の一番上に位置する広告を「一番上」と称する。また、丁合物を構成する最大枚数が定められており、最大枚数以内を１回戦で作成することができる。例えば、丁合物を構成する最大枚数が２０枚のケースで、３０枚の広告を丁合したい場合は、２０枚の丁合物（第１の丁合物）と１０枚の丁合物（第２の丁合物）を作成することになる。この場合、丁合機Ｓ４は、２０枚の丁合物を１回戦目で作成し、１０枚の丁合物を２回戦目で作成する。
【００３５】
担当者は、表示部Ｓ４５に表示された折込指示を見て（Ｎｏ．１とＮｏ．４に親紙希望がある）、タッチパネル等の入力部Ｓ４４を介して、Ｎｏ．１又はＮｏ．４を親紙（帯）に指定することができる。例えば、表示部Ｓ４５は、親紙を複数の給紙棚のうちのどの給紙棚（親紙用給紙棚）にセットするかを案内表示する。丁合機Ｓ４は、親紙用給紙棚にセットされる広告を親紙として丁合する。また、担当者は、表示部Ｓ４５に表示された折込指示を見て（Ｎｏ．２とＮｏ．６に一番上（先頭）希望がある）、タッチパネル等の入力部Ｓ４４を介して、Ｎｏ．２又はＮｏ．６を一番上に指定することができる。例えば、表示部Ｓ４５は、一番上紙を複数の給紙棚のうちのどの給紙棚（一番上紙用給紙棚）にセットするかを案内表示する。丁合機Ｓ４は、一番上紙用給紙棚にセットされる広告を一番上として丁合する。
【００３６】
図８に示すように、Ｎｏ．１の広告（現物）が１９００枚あり、１区から予備区までの合計が１９００枚の場合（全数の折込依頼の場合）、丁合機Ｓ４の制御部Ｓ４１は、各区の指定枚数（１区３００枚、２区４００枚…）を自動で割り振る。つまり、丁合機Ｓ４の制御部Ｓ４１は、部数に応じた配達区域別の部数情報を生成する。
【００３７】
図９に示すように、Ｎｏ．２〜Ｎｏ．４の広告（現物）は１９００枚に満たない半端広告である。例えば、丁合機Ｓ４の制御部Ｓ４１は、丁合機Ｓ４の記憶部４２に記憶された折込データ履歴に基づき、各区の枚数（部数）を自動で割り振る。例えば、Ｎｏ．２の広告のＩＤに基づき、Ｎｏ．２の広告の折込データ履歴（各区の枚数の割り振り）を調べることができる。制御部Ｓ４１による各区の指定枚数の割り振りは、折込データ履歴として、記憶部４２に蓄積される。つまり、丁合機Ｓ４の制御部Ｓ４１は、配達区域別の部数履歴情報に基づき、部数に応じた配達区域別の部数情報を生成する。
【００３８】
図１０に示すように、一つの広告のＩＤに対して複数の折込データ履歴がある場合、表示部Ｓ４５は、これら複数の折込データ履歴を表示し、タッチパネル等の入力部Ｓ４４からの折込データ履歴の選択を可能にする。制御部Ｓ４１は、選択された折込データ履歴に基づき、各区の枚数を自動で割り振る。
【００３９】
図１１に示すように、折込データ履歴が存在しない場合は、タッチパネル等の入力部Ｓ４４から各区への枚数の入力が可能となる。
【００４０】
図１２に示すように、担当者は、表示部Ｓ４５に表示された折込指示を見て、親紙を指定したり、順番を指定したり、回戦（第１及び第２の丁合物のうちのどちらか一方の丁合物）を指定したりすることができる。ある広告に対して１回戦を指定すれば、ある広告は１回戦で作成される第１の丁合物に組み込まれ、ある広告に対して２回戦を指定すれば、ある広告は２回戦で作成される第２の丁合物に組み込まれる。第１、第２、第３の広告について１回戦が指定され、第４、第５、第６の広告について２回戦が指定されると、丁合機Ｓ４は、１回戦の丁合処理に先立ち、第１、第２、第３の広告の折込広告宛紙の情報を読み取ると、１回戦の丁合処理を開始する。同様に、丁合機Ｓ４は、２回戦の丁合処理に先立ち、第４、第５、第６の広告の折込広告宛紙の情報を読み取ると、２回戦の丁合処理を開始する。
【００４１】
本実施形態によれば、図１３に示すように、丁合機Ｓ４は、丁合対象となる広告束に添付された折込広告宛紙のバーコード等の情報を受け取り、丁合対象となる広告束の適否を判定することができる。その結果、丁合機Ｓ４は、折込指示データに対応した丁合物を作成することができる。
【００４２】
また、図１４に示すように、丁合機Ｓ４の表示部Ｓ４５は、折込指示データを表示するとともに、折込指示データに含まれるＩＤと折込広告宛紙のバーコード等から得られたＩＤとが一致した場合に、折込指示データの表示画面上に一致したことを示す識別情報を表示するようにしてもよい。
【００４３】
また、図１５に示すように、丁合機Ｓ４の表示部Ｓ４５上において、タッチパネル等の入力部Ｓ４４を介して回戦を指定することができる。
【００４４】
また、図１６に示すように、１回戦又は２回戦が実行される場合には、丁合機Ｓ４の表示部Ｓ４５は、丁合機Ｓ４の表示部Ｓ４５は、１回戦目又は２回戦で折り込むチラシデータを表示するようにしてもよい。
【００４５】
図１８は、丁合機Ｓ４により生成される丁合物の準備過程の一例を示す図である。上記説明したように、丁合機Ｓ４は、丁合物を生成し、丁合データをタブレットＴへ送信する。タブレットＴは、丁合データに基づき納品広告宛紙の画像（図１９参照）を表示することができる。また、タブレットＴは、丁合データをプリンタＳ５へ送信し、プリンタＳ５は納品広告宛紙（丁合済広告宛紙）（図１９参照）を印刷する。丁合物の上に納品広告宛紙を乗せて梱包すると、丁合物（梱包）が完成する。
【００４６】
例えば、図２０に示すように、タブレットＴ及びクラウドサーバＳ３は、所定の新聞販売店の所定折込日の各区域別の梱包数の情報を記憶する。図２１に示すように、丁合物の積み降ろしの際に、タブレットＴにおいて所定の新聞販売店及び所定の折込日を指定した上で、丁合物に添付された納品広告宛紙をバーコードリーダＲで読み取り、タブレットＴにおいて読み取られたデータと、所定の新聞販売店及び所定の折込日の条件で絞り込まれた情報とを照合する。照合結果が一致しない場合には、タブレットＴにおいて警告が表示される。また、全ての一致が確認できない場合にも、タブレットＴにおいて警告が表示される。これにより、誤った丁合物の積み降ろしを防止することができる。
【００４７】
なお、図６に示すように、丁合機Ｓ４を各店舗（配送拠点）に設置して、折込指示データ作成装置Ｓ２が、配送拠点別に集計された折込指示データを、対応する配送拠点に設置された丁合機Ｓ４へ送信するようにしてもよい。例えば、折込指示データ作成装置Ｓ２は、店舗Ａに設置された丁合機Ｓ４の識別情報を記憶し、店舗Ａの折込指示データを、店舗Ａの識別情報の丁合機Ｓ４へ送信することができる。店舗Ａの丁合機Ｓ４は、店舗Ａの折込指示データに基づき、店舗Ａ向けの広告束を受け取ることができ、店舗Ａ向けの丁合物を生成することができる。同様に、店舗Ｂの折込指示データを店舗Ｂに設置された丁合機Ｓ４へ送信することができ、店舗Ｃの折込指示データを店舗Ｃに設置された丁合機Ｓ４へ送信することができる。
【００４８】
以下、図２２〜図２５を参照して、丁合機Ｓ４の一例である丁合機１００について説明する。
【００４９】
図２２は丁合機１００の外観を示す斜視図である。
【００５０】
なお図２２における左手前側を丁合機１００の前側、右手奥側を丁合機１００の後側、左手奥側を左側、右手前側を右側と定義する。
【００５１】
丁合機１００は、支持体１、支持体２、天板３、底板４、複数の給紙棚５、複数の給紙棚６、給紙棚７、ホッパー８、上パネル９、下パネル１０、複数の主パネル１１及びタッチパネル１２を含む。
【００５２】
支持体１及び支持体２は、矩形板様の外観形状をなし、その長手方向が上下方向に向くとともに、それぞれが左側及び右側に位置するように互いに対向する。
【００５３】
天板３は、支持体１及び支持体２のそれぞれの上端付近で、支持体１と支持体２とを連結する。底板４は、支持体１及び支持体２のそれぞれの下端付近で、支持体１と支持体２とを連結する。
【００５４】
丁合機１００は、本実施形態では１１個の給紙棚５を備える。給紙棚５は、支持体１，２の間に上下方向に並んで配列された状態で支持体１，２により支持されている。給紙棚５は、その上面にシート紙（広告又はチラシに相当）を積載する。給紙棚５は、前側からのシート紙の投入を受ける。
【００５５】
給紙棚６は、図２２では１つのみが示されるが、給紙棚５と同数である。つまり本実施形態では、給紙棚６は１１個である。給紙棚６は、支持体１，２の間に上下方向に並んで配列された状態で支持体１，２により支持されている。給紙棚６は、その上面にシート紙を積載する。給紙棚６は、後側からのシート紙の投入を受ける。給紙棚６のそれぞれは、給紙棚５のいずれかと横方向に並ぶ。
【００５６】
ただし、給紙棚５，６の数は、３以上の任意の数であってよい。また、給紙棚５，６の少なくとも一部は、支持体１，２に対して着脱可能であってもよい。また、給紙棚５の数と給紙棚６の数とが異なっていても良い。
【００５７】
給紙棚７は、支持体１，２の間に最下段の給紙棚５の下方に隣接する状態で配置され、支持体１，２により支持されている。給紙棚７は、その上面に、折り紙として使用されるシート紙を積載する。給紙棚７は、前側からのシート紙の投入を受ける。なお折り紙とは、２つ折り状態で紙束を挟み込むシート紙を指す。
【００５８】
ホッパー８は、支持体１，２の間に給紙棚７の下方に隣接する状態で配置され、底板４により支持されている。ホッパー８は、その上面に、形成済みの紙束を積載する。
【００５９】
上パネル９は、支持体１の前面に取り付けられ、動作スイッチ９ａ、排出スイッチ９ｂ及びテストスイッチ９ｃを備える。動作スイッチ９ａは、丁合動作の開始及び停止の指示を入力する。排出スイッチ９ｂは、丁合機１００の内部に留まったシート紙を排出するための動作の開始指示を入力する。テストスイッチ９ｃは、試験的な丁合動作の開始指示を入力する。なお、図２２には示されないが、支持体１の後面にも、上パネル９が取り付けられている。
【００６０】
下パネル１０は、支持体１の前面に取り付けられ、ロックスイッチ１０ａ及び速度調整ダイヤル１０ｂを備える。ロックスイッチ１０ａは、丁合動作の緊急停止指示を入力する。速度調整ダイヤル１０ｂは、折り込みのスピードの指定を入力する。なお、図２２には示されないが、支持体１の後面にも、下パネル１０が取り付けられている。ただし、支持体１の後面に取り付けられた下パネル１０は、速度調整ダイヤル１０ｂに代えて、電源スイッチを備える。電源スイッチは、外部の商用電源からの電力取り込みをオン／オフする。
【００６１】
なお、図２２では給紙棚７の影となるために示されていないが、支持体１の前面には、排出調整ダイヤル及び折り調整ダイヤルが設けられている。排出調整ダイヤルは、形成された紙束を排出する速度の指定を入力する。折り調整ダイヤルは、給紙棚７に積載されたシート紙を折り紙とする際の折り位置の指定を入力する。
【００６２】
丁合機１００は、主パネル１１を、給紙棚５の数よりも１つ多く備える。つまり本実施形態では、主パネル１１は１２個である。これら１２個の主パネル１１は、給紙棚５及び給紙棚７のそれぞれの横に並ぶ状態で、支持体２の前面に取り付けられ、給紙スイッチ１１ａ、ミススイッチ１１ｂ、連段スイッチ１１ｃ及び捌き調整ダイヤル１１ｄを備える。ただし、最上部に位置する給紙棚５及び給紙棚７の横に並んだ主パネル１１は、連段スイッチ１１ｃを備えない。主パネル１１はそれぞれ、横に並んだ給紙棚５，７に対応付けられている。給紙スイッチ１１ａ及びミススイッチ１１ｂは、対応付けられた給紙棚を有効設定とするか否かの指定を入力する。連段スイッチ１１ｃは、連段機能の適用の有無の指定を入力する。捌き調整ダイヤル１１ｄは、対応付けられた給紙棚に積載されたシート紙から後述する送出機構により１枚のシート紙を送り出すためにシート紙に加える力の大きさの指定を入力する。なお、図２２には示されないが、支持体２の後面にも、給紙棚６のそれぞれに対応付けて主パネル１１が取り付けられている。つまり丁合機１００が備える主パネル１１の総数は２３個である。
【００６３】
タッチパネル１２は、支持体２の側面に取り付けられる。タッチパネル１２は、丁合機１００の動作に関わる各種の情報を表示する。タッチパネル１２は、丁合機１００の動作に関わる各種の設定の指定を入力する。
【００６４】
図２３はシート紙Ｓの搬送のために丁合機１００の内部に設けられた機構の構造を模式的に示す図である。なお、図２３において、図２２と同一の要素には同一の符号を付し、その詳細な説明は省略する。
【００６５】
丁合機１００は、シート紙Ｓの搬送に係わる機構の要素として、複数の送出機構２１、複数の送出機構２２、送出機構２３、複数のガイド２４、複数の縦搬送ローラ２５、複数の縦搬送ローラ２６、シート折り部２７及び搬送ベルト２８を含む。
【００６６】
送出機構２１は、給紙棚５のそれぞれに対応して設けられている。つまり本実施形態において送出機構２１は１１個である。送出機構２１は、対応付けられた給紙棚５に積載されたシート紙Ｓを一枚ずつ送り出す。
【００６７】
図２４は送出機構２１の具体的な構造を一部破断して示す図である。
【００６８】
送出機構２１は、主動給紙ローラ２１ａ、従動給紙ローラ２１ｂ、タイミングベルト２１ｃ、捌き板２１ｄ、搬送ローラ２１ｅ，２１ｆ、給紙センサ２１ｇ、残紙センサ２１ｈ及びジャミングセンサ２１ｉを含む。
【００６９】
主動給紙ローラ２１ａおよび従動給紙ローラ２１ｂは、図示しないブラケットにより上下揺動可能とされている。主動給紙ローラ２１ａおよび従動給紙ローラ２１ｂは、図２４には示されないモータにより発生されて図２４には示されない第１の電磁クラッチを介して伝達される駆動力により回転する。従動給紙ローラ２１ｂは、タイミングベルト２１ｃにより主動給紙ローラ２１ａに連結されており、主動給紙ローラ２１ａの回転に伴って回転する。主動給紙ローラ２１ａには、図２４には示されない電磁ブレーキが取り付けられている。
【００７０】
捌き板２１ｄは、主動給紙ローラ２１ａの下方に配置され、主動給紙ローラ２１ａの周面に押し当てられている。捌き板２１ｄは、例えばゴム材より形成されており、シート紙Ｓに対して大きな摩擦力を与える。これにより捌き板２１ｄは、主動給紙ローラ２１ａとの間に差し込まれた複数枚のシート紙Ｓのうちの下方に位置するものを止め、一番上に位置する一枚のみが主動給紙ローラ２１ａにより送り出されるようにする。
【００７１】
搬送ローラ２１ｅ，２１ｆは、それぞれの周面が互いに接するように対向して配置されている。また搬送ローラ２１ｅ，２１ｆは、主動給紙ローラ２１ａによって給紙棚５から送り出されたシート紙Ｓが、搬送ローラ２１ｅと搬送ローラ２１ｆとの間へと進入するように、主動給紙ローラ２１ａに隣接して配置されている。搬送ローラ２１ｅ，２１ｆは、主動給紙ローラ２１ａによって送り込まれたシート紙Ｓをガイド２４に向けて送り出す。
【００７２】
搬送ローラ２１ｅ，２１ｆは、上述のモータにより発生されて図２４には示されない第２の電磁クラッチを介して伝達される駆動力により回転する。
【００７３】
給紙センサ２１ｇは、アクチュエータ２１ｇ−１及びマイクロスイッチ２１ｇ−２から構成される。アクチュエータ２１ｇ−１は、搬送ローラ２１ｅと搬送ローラ２１ｆとの間へと進入したシート紙Ｓにより押し下げられる。マイクロスイッチ２１ｇ−２は、上記のように押し下げられたアクチュエータ２１ｇ−１によりオンされる。かくして、給紙センサ２１ｇは、搬送ローラ２１ｅと搬送ローラ２１ｆとの間にシート紙Ｓが存在する状態にあることを検出する。
【００７４】
残紙センサ２１ｈは、給紙棚５に積載されたシート紙Ｓを検出する。残紙センサ２１ｈとしては、例えば反射型の光センサが用いられる。従って、残紙センサ２１ｈがシート紙Ｓを検出できないとき、給紙棚５にシート紙Ｓが適正に積載されていないと判定できる。
【００７５】
ジャミングセンサ２１ｉは、搬送ローラ２１ｅ，２１ｆにより送り出されたシート紙Ｓを検出する。従って、搬送ローラ２１ｅ，２１ｆによるシート紙Ｓの送り出しを開始してからある程度の時間が経過してもジャミングセンサ２１ｉがシート紙Ｓを検出し続けている場合には、ジャミングが生じていると判定できる。
【００７６】
図２３に示す様に、送出機構２２は、給紙棚６のそれぞれに対応して設けられている。つまり本実施形態において送出機構２２は１１個である。送出機構２２は、対応付けられた給紙棚６に積載されたシート紙Ｓを一枚ずつ送り出す。送出機構２２の構造は、送出機構２１と同様であるので、その図示及び説明は省略する。
【００７７】
送出機構２３は、給紙棚７に対応して設けられている。送出機構２３は、給紙棚７に積載されたシート紙Ｓを一枚ずつ送り出す。送出機構２３の構造は、送出機構２１と同様であるので、その図示及び説明は省略する。
【００７８】
ガイド２４は、１つずつの送出機構２１，２２に対応して１つが設けられる。つまり本実施形態においてガイド２４は１１個である。ガイド２４は、上下方向に一列に並ぶ。ガイド２４は、対応する送出機構２１，２２からそれぞれ送り出されるシート紙Ｓを縦搬送ローラ２５と縦搬送ローラ２６との間に送り込む。また、最上部に位置するもの以外のガイド２４は、上側に隣接する縦搬送ローラ２５，２６から送り出されたシート紙Ｓを下側に隣接する縦搬送ローラ２５と縦搬送ローラ２６との間に送り込む。
【００７９】
縦搬送ローラ２５，２６は、ガイド２４に対応して設けられている。つまり本実施形態において縦搬送ローラ２５，２６は１１個ずつである。縦搬送ローラ２５，２６は、それぞれの周面が互いに接するように対向して配置されている。また縦搬送ローラ２５，２６は、ガイド２４により送り込まれたシート紙Ｓが、縦搬送ローラ２５と縦搬送ローラ２６との間へと進入するように、対応するガイド２４の下方に隣接して配置されている。縦搬送ローラ２５，２６は、ガイド２４によって送り込まれたシート紙Ｓを下方に送り出す。
【００８０】
かくして、ガイド２４及び縦搬送ローラ２５，２６により、複数の給紙棚５，６から送り出されたシート紙Ｓを搬送するための共通搬送路が形成される。
【００８１】
シート折り部２７は、搬送ベルト２７ａ、折りボックス２７ｂ、折りボックスセンサ２７ｃ、折込み用ナイフ２７ｄ及び折りローラ２７ｅ，２７ｆを含む。
【００８２】
搬送ベルト２７ａは、給紙棚７から送出機構２３により送り出されたシート紙Ｓを、その先端が折りローラ２７ｅ，２７ｆの上方を通過して折りボックス２７ｂ内に到達するまで搬送する。
【００８３】
折りボックス２７ｂは、シート紙Ｓの端部を保持する。折りボックス２７ｂがシート紙Ｓの端部を保持しているとき、当該シート紙Ｓの中央部が折りローラ２７ｅ，２７ｆの上方に位置する。折りボックス２７ｂは、折り調整ダイヤルの回動に伴い、図２３には示されない移動機構により横方向に移動される。
【００８４】
折りボックスセンサ２７ｃは、折りボックス２７ｂによりシート紙Ｓが保持されていることを検出する。
【００８５】
折り込み用ナイフ２７ｄは、共通搬送路でのシート紙Ｓの搬送タイミングに同期して、図示しない往復機構により上下される。折り込み用ナイフ２７ｄは、上記のように搬送ベルト２７ａによりシート紙Ｓの先端が折りボックス２７ｂへと送り込まれるときには、上方に位置してシート紙Ｓに干渉しない。折り込み用ナイフ２７ｄは、図示しない折りナイフ駆動部により下方に移動されることにより、折りローラ２７ｅ，２７ｆの上方に位置しているシート紙Ｓの中央部を折りローラ２７ｅと折りローラ２７ｆとの間に向けて撓ませる。
【００８６】
折りローラ２７ｅ，２７ｆは、縦搬送ローラ２５，２６の下方に位置している。折りローラ２７ｅ，２７ｆは、最下段の縦搬送ローラ２５，２６から送り込まれるシート紙Ｓの束とともに、上記のように撓ませた状態で折りローラ２７ｅ，２７ｆの上方に位置しているシート紙Ｓとを纏めて下方へ送り出す。これにより、上記のように撓ませた状態で折りローラ２７ｅ，２７ｆの上方に位置していたシート紙Ｓは、最下段の縦搬送ローラ２５，２６から送り込まれるシート紙Ｓの束を挟み込む状態で二つ折りとされた折り紙となる。
【００８７】
搬送ベルト２８は、折りローラ２７ｅ，２７ｆから送り出された折り紙付きのシート紙の束（紙束）Ｂを、丁合機１００の前側へと搬送し、ホッパー８に向けて排出する。
【００８８】
図２５は丁合機１００の制御系の構成を示すブロック図である。なお、図２５に示される要素のうちで図２２〜図２４にも示されている要素については、同一の符号を付している。
【００８９】
丁合機１００は、棚対応ユニット３１を、給紙棚５及び給紙棚７のそれぞれに対応して１つずつを有する。棚対応ユニット３１は、対応する給紙棚５に対して設けられている主パネル１１の給紙スイッチ１１ａ、ミススイッチ１１ｂ及び連段スイッチ１１ｃと、対応する給紙棚５に対して設けられている送出機構２１に含まれた給紙センサ２１ｇ、残紙センサ２１ｈ、ジャミングセンサ２１ｉ、第１の電磁クラッチ２１ｊ、第２の電磁クラッチ２１ｋ及び電磁ブレーキ２１ｍとを、入出力回路３１ａにそれぞれ接続して形成されている。ただし、最上段の給紙棚５及び給紙棚７に対応した棚対応ユニット３１については、連段スイッチ１１ｃを含まない。入出力回路３１ａは、接続された各種スイッチ及び各種センサの状態を表し、かつそれがどのスイッチ又はセンサに関するものであるかを識別可能とした検出情報を生成し、データ伝送路４３へと送出する。入出力回路３１ａは、第１の電磁クラッチ２１ｊ、第２の電磁クラッチ２１ｋ及び電磁ブレーキ２１ｍのそれぞれに対する制御情報がデータ伝送路４３を介して送られてくると、当該制御情報に応じて第１の電磁クラッチ２１ｊ、第２の電磁クラッチ２１ｋ又は電磁ブレーキ２１ｍの励磁状態を変化させる。
【００９０】
なお、給紙棚に対応する棚対応ユニット３１は、連段スイッチ１１ｃを備えず、代わりに折りボックスセンサ２７ｃを入出力回路３１ａに接続している。
【００９１】
丁合機１００は、棚対応ユニット３２を、給紙棚６のそれぞれに対応して１つずつを有する。棚対応ユニット３２は、棚対応ユニット３１と同様にして形成される。ただし、棚対応ユニット３２が備える給紙センサ、残紙センサ、ジャミングセンサ、第１の電磁クラッチ、第２の電磁クラッチ及び電磁ブレーキは、対応する給紙棚６に対して設けられている送出機構２２に含まれたものである。
【００９２】
入出力回路３３には、動作スイッチ９ａ、排出スイッチ９ｂ、テストスイッチ９ｃ、ロックスイッチ１０ａ、速度調整ダイヤル１０ｂ、インバータ３４、モータ３５、排出調整ダイヤル３７、排出用モータ３８及び後部表示部３９がそれぞれ接続されている。入出力回路３３は、接続された各種スイッチ、各種ダイヤル及び折りエンコーダ３６の状態を表し、かつそれがどのデバイスに関するものであるかを識別可能とした検出情報を生成し、データ伝送路４３へと送出する。入出力回路３３は、モータ３５、排出用モータ３８及び後部表示部３９のそれぞれに対する制御情報がデータ伝送路４３を介して送られてくると、当該制御情報に応じてモータ３５、排出用モータ３８及び後部表示部３９の動作状態を変化させる。
【００９３】
インバータ３４は、入出力回路３３からモータ３５の動作制御のために出力される直流の駆動信号からモータ３５を駆動するための交流の駆動信号を得て、モータ３５へと供給する。
【００９４】
モータ３５は、シート紙Ｓを搬送するための前述した各種のローラやベルトを駆動するための駆動力を発生する。このモータ３５は、図２４の説明において、主動給紙ローラ２１ａ、従動給紙ローラ２１ｂ及び搬送ローラ２１ｅ，２１ｆを回転させるための駆動力を発生するものとして説明されているものである。
【００９５】
エンコーダ３６は、共通搬送路でのシート紙Ｓの搬送タイミングに応じたタイミング信号を生成する。
【００９６】
排出調整ダイヤル３７は、図２２では示されていないが支持体１の前面に設けられているものとして説明済みのものである。
【００９７】
排出用モータ３８は、丁合機１００の内部に留まったシート紙を排出するための駆動力を発生する。
【００９８】
後部表示部３９は、支持体１の後面に設けられている。後部表示部３９は、丁合作業時に各種の異常や使用状態を照光ランプにより表示する。
【００９９】
プロセッサ４１は、記憶部４２とともに丁合機１００を制御するコンピュータを構成する。
【０１００】
プロセッサ４１は、上記コンピュータの中枢部分に相当する。プロセッサ４１は、オペレーティングシステムやアプリケーションプログラムに従って、丁合機１００としての各種の機能を実現するべく各部を制御する。
【０１０１】
記憶部４２は、上記コンピュータの主記憶部分及び補助記憶部分に相当する。記憶部４２は、不揮発性のメモリ領域と揮発性のメモリ領域とを含む。記憶部４２は、不揮発性のメモリ領域ではオペレーティングシステムやアプリケーションプログラムを記憶する。記憶部４２は、アプリケーションプログラムの一部を揮発性のメモリ領域に記憶する場合もある。また記憶部４２は、プロセッサ４１が各部を制御するための処理を実行する上で必要なデータを不揮発性または揮発性のメモリ領域で記憶する場合もある。記憶部４２は、揮発性のメモリ領域を、プロセッサ４１によってデータが適宜書き換えられるワークエリアとして使用する。
【０１０２】
データ伝送路４３は、プロセッサ４１が各部と授受する各種のデータを伝送する。なお、タッチパネル１２は、データ伝送路４３に接続されている。
【０１０３】
次に以上のように構成された丁合機１００の動作について説明する。なお、丁合機１００の動作の多くは、既存の同種の丁合機における動作と同様であるので、その詳細な説明は省略する。そしてここでは、スキップ機能に関わる動作について詳細に説明する。
【０１０４】
まず、丁合機１００では、給紙棚５，６，７の個々について、その給紙棚からの給紙の有効・無効、その給紙棚からの給紙に関するエラー検出をするか否か、ならびにその給紙棚と１つ上の給紙棚との連段の有無を設定可能とする。このため記憶部４２は、これらの設定状況を管理するための設定テーブルを記憶する。
【０１０５】
プロセッサ４１は、主パネル１１にて操作者による操作が行われた場合には、その操作に応じて設定テーブルの記述を更新する。すなわちプロセッサ４１は、棚番号が「ｎ」である給紙棚に対応付けられた主パネル１１において給紙スイッチ１１ａ又はミススイッチ１１ｂが操作される毎に、設定テーブルにて棚番号「ｎ」に関連付けられた給紙の有効／無効を反転する。なおプロセッサ４１は、給紙スイッチ１１ａが操作されたことに応じて給紙を有効に変更した場合には、設定テーブルにて棚番号「ｎ」に関連付けられたエラー検知を「しない」とする。またプロセッサ４１は、ミススイッチ１１ｂが操作されたことに応じて給紙を有効に変更した場合には、設定テーブルにて棚番号「ｎ」に関連付けられたエラー検知を「する」とする。さらにプロセッサ４１は、棚番号が「ｎ」である給紙棚に対応付けられた主パネル１１において連段スイッチ１１ｃが操作される毎に、設定テーブルにて棚番号「ｎ」に関連付けられた連段の有無を反転する。
【０１０６】
丁合機１００では、後述する制御処理によるスキップ機能により、給紙棚５，６の個々について、給紙を任意のパターンでスキップ可能とする。このため記憶部４２は、スキップ機能の管理のための管理テーブルを記憶する。
【０１０７】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【０１０８】
Ｓ１…折込データ処理装置、Ｓ２…折込指示データ作成装置、Ｓ３…サーバ、Ｓ４…及び丁合機、Ｓ１１…制御部、Ｓ１２…記憶部、Ｓ１３…通信部、Ｓ１４…入力部、Ｓ１５…表示部、Ｓ１６…印刷部、Ｓ２１…制御部、Ｓ２２…記憶部、Ｓ２３…通信部、Ｓ２４…入力部、Ｓ２５…表示部、Ｓ３１…制御部、Ｓ３２…記憶部、Ｓ３３…通信部、Ｓ４１…制御部、Ｓ４２…記憶部、Ｓ４３…通信部、Ｓ４４…入力部、Ｓ４５…表示部、Ｓ４６…丁合機構
【図１】
2018138484.tif 000003
【図２】
2018138484.tif 000004
【図３】
2018138484.tif 000005
【図４】
2018138484.tif 000006
【図５】
2018138484.tif 000007
【図６】
2018138484.tif 000008
【図７】
2018138484.tif 000009
【図８】
2018138484.tif 000010
【図９】
2018138484.tif 000011
【図１０】
2018138484.tif 000012
【図１１】
2018138484.tif 000013
【図１２】
2018138484.tif 000014
【図１３】
2018138484.tif 000015
【図１４】
2018138484.tif 000016
【図１５】
2018138484.tif 000017
【図１６】
2018138484.tif 000018
【図１７】
2018138484.tif 000019
【図１８】
2018138484.tif 000020
【図１９】
2018138484.tif 000021
【図２０】
2018138484.tif 000022
【図２１】
2018138484.tif 000023
【図２２】
2018138484.tif 000024
【図２３】
2018138484.tif 000025
【図２４】
2018138484.tif 000026
【図２５】
2018138484.tif 000027
【手続補正書】
【提出日】平成30年4月23日(2018.4.23)
【手続補正１】
【補正対象書類名】特許請求の範囲
【補正対象項目名】全文
【補正方法】変更
【補正の内容】
【特許請求の範囲】
【請求項１】
広告識別情報、配送拠点識別情報、及び配達日情報を含む複数の電子広告情報を受信する手順と、
前記複数の電子広告情報のうち、第１の配送拠点識別情報、及び第１の配達日情報を含む１以上の電子広告情報を選択し、前記選択された１以上の電子広告情報に基づき広告丁合処理情報を生成する手順と、
前記広告丁合処理情報を出力する手順と、をコンピュータに実行させるプログラムであって、
前記広告丁合処理情報は、前記選択された１以上の電子広告情報に含まれる広告識別情報、前記第１の配送拠点識別情報、及び前記第１の配達日情報を含み、
前記広告丁合処理情報を出力する手順は、前記第１の配送拠点識別情報に登録された丁合機に対して前記広告丁合処理情報を送信する手順を含むプログラム。
【請求項２】
選択された第１及び第２の電子広告情報に基づき、前記広告丁合処理情報を生成する手順をコンピュータに実行させるプログラムであって、
前記第１の電子広告情報は、第１の広告の第１の広告識別情報、前記第１の配送拠点識別情報、及び前記第１の配達日情報を含み、
前記第２の電子広告情報は、第２の広告の第２の広告識別情報、前記第１の配送拠点識別情報、及び前記第１の配達日情報を含み、
前記広告丁合処理情報は、前記第１及び第２の広告識別情報、前記第１の配送拠点識別情報、及び前記第１の配達日情報を含む請求項１のプログラム。
【請求項３】
前記第１の電子広告情報は、前記第１の広告の第１の部数を含み、
前記第２の電子広告情報は、前記第２の広告の第２の部数を含み、
前記広告丁合処理情報は、前記第１及び第２の部数を含む請求項２のプログラム。
【請求項４】
前記広告丁合処理情報は、前記第１の広告の第１の配達区域情報と、前記第２の広告の第２の配達区域情報を含む請求項３のプログラム。
【請求項５】
前記第１の部数に応じた配達区域別の部数情報を生成し、前記第２の部数に応じた配達区域別の部数情報を生成する手順をコンピュータに実行させる請求項４のプログラム。
【請求項６】
配達区域別の部数履歴情報に基づき、前記第１の部数に応じた配達区域別の部数情報を生成し、前記第２の部数に応じた配達区域別の部数情報を生成する手順をコンピュータに実行させる請求項５のプログラム。
【請求項７】
前記第１の電子公告情報が、前記第１の広告を第１の広告以外の広告を束ねる帯として指定する帯指定情報を含む請求項２乃至６の何れか一つのプログラム。
【請求項８】
前記第２の電子公告情報が、前記第２の広告を先頭に丁合する先頭指定情報を含む請求項２乃至７の何れか一つのプログラム。
【請求項９】
第１及び第２の丁合物を含む配達物を作成する場合に、
各電子広告情報が、前記第１及び第２の丁合物のうちのどちらか一方の指定を含む請求項２乃至８の何れか一つのプログラム。
【請求項１０】
前記広告丁合処理情報をサーバへ出力する手順をコンピュータに実行させる請求項２乃至９の何れか一つのプログラム。
【請求項１１】
広告識別情報、配送拠点識別情報、及び配達日情報を含む複数の電子広告情報を受信する第１の受信部と、
前記複数の電子広告情報のうち、第１の配送拠点識別情報、及び第１の配達日情報を含む１以上の電子広告情報を選択し、前記選択された１以上の電子広告情報に基づき広告丁合処理情報を生成する処理部と、
前記広告丁合処理情報を出力する第１の出力部と、を備え、
前記広告丁合処理情報は、前記選択された１以上の電子広告情報に含まれる広告識別情報、前記第１の配送拠点識別情報、及び前記第１の配達日情報を含み、
前記第１の出力部は、前記第１の配送拠点識別情報に登録された丁合機に対して前記広告丁合処理情報を送信する配送管理装置。
【請求項１２】
前記第１の出力部は、前記広告丁合処理情報をサーバへ出力する請求項１１の配送管理装置。
【請求項１３】
請求項１１の配送管理装置及び丁合機を備える配送管理システムであって、
前記丁合機は、
前記広告丁合処理情報を受信する第２の受信部と、
前記広告丁合処理情報に基づき第１及び第２の広告を丁合する丁合部と、
を備える配送管理システム。
【請求項１４】
請求項１２の配送管理装置及び丁合機を備える配送管理システムであって、
前記丁合機は、
前記サーバから前記広告丁合処理情報を受信する第２の受信部と、
前記広告丁合処理情報に基づき第１及び第２の広告を丁合する丁合部と、
を備える配送管理システム。
【請求項１５】
第１の広告束に添付される第１の添付広告情報から読み取られた第１の読取り情報を受信する第３の受信部と、
前記広告丁合処理情報と前記第１の読取り情報との比較結果に基づき、前記第１の広告束の受け入れ可否を判定する判定部と、
を備える請求項１３又は１４の配送管理システム。
【請求項１６】
前記第３の受信部は、第２の広告束に添付される第２の添付広告情報から読み取られた第２の読取り情報を受信し、
前記判定部は、前記広告丁合処理情報と前記第１及び第２の読取り情報との比較結果に基づき、前記第１及び第２の広告束の受け入れ可否、及び広告束の過不足を判定する請求項１５の配送管理システム。
【請求項１７】
前記丁合部は、前記第１及び第２の広告束の受け入れの許可に基づき、前記第１の広告束の第１の広告と前記第２の広告束の第２の広告を丁合する請求項１６の配送管理システム。
【請求項１８】
前記丁合機は、前記第１の広告と前記第２の広告の丁合物に対応する丁合データを出力する第２の出力部を備え、
前記丁合データは、前記第１の配送拠点識別情報を含む請求項１７の配送管理システム。
【請求項１９】
配送管理システムは、情報読取り装置を備え、
前記情報読取り装置は、丁合物印刷ラベルから前記丁合データを読み取る読取部と、
前記丁合データに含まれる前記第１の配送拠点識別情報を表示する表示部と、
を備える請求項１８の配送管理システム。
【手続補正２】
【補正対象書類名】明細書
【補正対象項目名】０１０７
【補正方法】変更
【補正の内容】
【０１０７】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
以下、本願の出願当所の特許請求の範囲に記載の発明を付記する。
［Ｃ１］
広告識別情報、配送拠点識別情報、及び配達日情報を含む複数の電子広告情報を受信する手順と、
前記複数の電子広告情報のうち、第１の配送拠点識別情報、及び第１の配達日情報を含む１以上の電子広告情報を選択し、前記選択された１以上の電子広告情報に基づき広告丁合処理情報を生成する手順と、
前記広告丁合処理情報を出力する手順と、をコンピュータに実行させるプログラムであって、
前記広告丁合処理情報は、前記選択された１以上の電子広告情報に含まれる広告識別情報、前記第１の配送拠点識別情報、及び前記第１の配達日情報を含むプログラム。
［Ｃ２］
選択された第１及び第２の電子広告情報に基づき、前記広告丁合処理情報を生成する手順をコンピュータに実行させるプログラムであって、
前記第１の電子広告情報は、第１の広告の第１の広告識別情報、前記第１の配送拠点識別情報、及び前記第１の配達日情報を含み、
前記第２の電子広告情報は、第２の広告の第２の広告識別情報、前記第１の配送拠点識別情報、及び前記第１の配達日情報を含み、
前記広告丁合処理情報は、前記第１及び第２の広告識別情報、前記第１の配送拠点識別情報、及び前記第１の配達日情報を含む［Ｃ１］のプログラム。
［Ｃ３］
前記第１の電子広告情報は、前記第１の広告の第１の部数を含み、
前記第２の電子広告情報は、前記第２の広告の第２の部数を含み、
前記広告丁合処理情報は、前記第１及び第２の部数を含む［Ｃ２］のプログラム。
［Ｃ４］
前記広告丁合処理情報は、前記第１の広告の第１の配達区域情報と、前記第２の広告の第２の配達区域情報を含む［Ｃ３］のプログラム。
［Ｃ５］
前記第１の部数に応じた配達区域別の部数情報を生成し、前記第２の部数に応じた配達区域別の部数情報を生成する手順をコンピュータに実行させる［Ｃ４］のプログラム。
［Ｃ６］
配達区域別の部数履歴情報に基づき、前記第１の部数に応じた配達区域別の部数情報を生成し、前記第２の部数に応じた配達区域別の部数情報を生成する手順をコンピュータに実行させる［Ｃ５］のプログラム。
［Ｃ７］
前記第１の電子公告情報が、前記第１の広告を第１の広告以外の広告を束ねる帯として指定する帯指定情報を含む［Ｃ２］乃至［Ｃ６］の何れか一つのプログラム。
［Ｃ８］
前記第２の電子公告情報が、前記第２の広告を先頭に丁合する先頭指定情報を含む［Ｃ２］乃至［Ｃ７］の何れか一つのプログラム。
［Ｃ９］
第１及び第２の丁合物を含む配達物を作成する場合に、
各電子広告情報が、前記第１及び第２の丁合物のうちのどちらか一方の指定を含む［Ｃ２］乃至［Ｃ８］の何れか一つのプログラム。
［Ｃ１０］
前記第１の配送拠点識別情報に登録された丁合機に対して前記広告丁合処理情報を送信する手順をコンピュータに実行させる［Ｃ２］乃至［Ｃ９］の何れか一つのプログラム。
［Ｃ１１］
前記広告丁合処理情報をサーバへ出力する手順をコンピュータに実行させる［Ｃ２］乃至［Ｃ９］の何れか一つのプログラム。
［Ｃ１２］
広告識別情報、配送拠点識別情報、及び配達日情報を含む複数の電子広告情報を受信する第１の受信部と、
前記複数の電子広告情報のうち、第１の配送拠点識別情報、及び第１の配達日情報を含む１以上の電子広告情報を選択し、前記選択された１以上の電子広告情報に基づき広告丁合処理情報を生成する処理部と、
前記広告丁合処理情報を出力する第１の出力部と、を備え、
前記広告丁合処理情報は、前記選択された１以上の電子広告情報に含まれる広告識別情報、前記第１の配送拠点識別情報、及び前記第１の配達日情報を含む配送管理装置。
［Ｃ１３］
前記第１の出力部は、前記広告丁合処理情報をサーバへ出力する［Ｃ１２］の配送管理装置。
［Ｃ１４］
［Ｃ１２］の配送管理装置及び丁合機を備える配送管理システムであって、
前記丁合機は、
前記広告丁合処理情報を受信する第２の受信部と、
前記広告丁合処理情報に基づき第１及び第２の広告を丁合する丁合部と、
を備える配送管理システム。
［Ｃ１５］
［Ｃ１３］の配送管理装置及び丁合機を備える配送管理システムであって、
前記丁合機は、
前記サーバから前記広告丁合処理情報を受信する第２の受信部と、
前記広告丁合処理情報に基づき第１及び第２の広告を丁合する丁合部と、
を備える配送管理システム。
［Ｃ１６］
第１の広告束に添付される第１の添付広告情報から読み取られた第１の読取り情報を受信する第３の受信部と、
前記広告丁合処理情報と前記第１の読取り情報との比較結果に基づき、前記第１の広告束の受け入れ可否を判定する判定部と、
を備える［Ｃ１４］又は［Ｃ１５］の配送管理システム。
［Ｃ１７］
前記第３の受信部は、第２の広告束に添付される第２の添付広告情報から読み取られた第２の読取り情報を受信し、
前記判定部は、前記広告丁合処理情報と前記第１及び第２の読取り情報との比較結果に基づき、前記第１及び第２の広告束の受け入れ可否、及び広告束の過不足を判定する［Ｃ１６］の配送管理システム。
［Ｃ１８］
前記丁合部は、前記第１及び第２の広告束の受け入れの許可に基づき、前記第１の広告束の第１の広告と前記第２の広告束の第２の広告を丁合する［Ｃ１７］の配送管理システム。
［Ｃ１９］
前記丁合機は、前記第１の広告と前記第２の広告の丁合物に対応する丁合データを出力する第２の出力部を備え、
前記丁合データは、前記第１の配送拠点識別情報を含む［Ｃ１８］の配送管理システム。
［Ｃ２０］
配送管理システムは、情報読取り装置を備え、
前記情報読取り装置は、丁合物印刷ラベルから前記丁合データを読み取る読取部と、
前記丁合データに含まれる前記第１の配送拠点識別情報を表示する表示部と、
を備える［Ｃ１９］の配送管理システム。